(57)【要約】本発明は、膜結合レセプターに結合し得る化合物を同定する方法に関する。この方法は、ａ）該レセプターに対する公知のリガンドに結合されたレセプターの複合体に対する核オーバーハウザー効果のＮＭＲデータまたはそこから導出されるデータを提供する工程であって、ここで、該レセプターが、ウイルス様粒子に組込まれる、工程；ｂ）該データをコンピューター手段と共に使用し、該工程ａ）で提供されたデータを使用して、該レセプターと該レセプターの公知のリガンドとの間で同定された分子間相互作用を介して該レセプターに結合し得る化合物を同定する工程；ｃ）該化合物が該レセプターに結合することが可能な条件下で、該化合物を該レセプターと接触させる工程；およびｄ）該化合物が、該レセプターに結合するかどうかを決定する工程、を包含する。【特許請求の範囲】
【請求項１】
膜結合レセプターに結合し得る化合物の同定方法であって、該方法は：
ａ）該レセプターに対する公知のリガンドに結合されたレセプターの複合体に対する核オーバーハウザー効果のＮＭＲデータまたはそこから導出されるデータを提供する工程であって、ここで、該レセプターが、ウイルス様粒子に組込まれる、工程；
ｂ）該データをコンピューター手段と共に使用し、該工程ａ）で提供されたデータを使用して、該レセプターと該レセプターの公知のリガンドとの間で同定された分子間相互作用を介して該レセプターに結合し得る化合物を同定する工程；
ｃ）該化合物が該レセプターに結合することが可能な条件下で、該化合物を該レセプターと接触させる工程；および
ｄ）該化合物が、該レセプターに結合するかどうかを決定する工程、
を包含する、方法。
【請求項２】
請求項１に記載の方法であって、ここで、工程ａ）において、前記提供されたデータが、前記核オーバーハウザー効果のＮＭＲデータから導出される構造座標データである、方法。
【請求項３】
レセプターと該レセプターの公知のリガンドとの間の分子間相互作用を同定する方法であって、該方法は：
ａ）該リガンドと該レセプターとの間で複合体の形成を可能にする条件下で、ウイルス様粒子に組込まれた該レセプターを、該レセプターの該公知のリガンドと接触させる工程；
ｂ）該複合体をＮＭＲに供し、核オーバーハウザー効果のデータを得る工程；
ｃ）必要に応じて、該核オーバーハウザー効果のデータを、構造座標データまたは結合角データに変換する工程；および
ｄ）該核オーバーハウザー効果のデータまたは該必要に応じて変換された核オーバーハウザー効果のデータを解釈し、該レセプターと該複合体中の該リガンドとの間の分子間相互作用を同定する工程、
を包含する、方法。
【請求項４】
レセプターに結合する化合物の三次元表示を行うためのコンピューターであって、該コンピューターは：
ａ）機械読み取り可能なデータ記憶媒体であって、該データ記憶媒体は、機械読み取り可能なデータでコードされるデータ記憶物質を含み、ここで、該データは、核オーバーハウザー効果のデータまたはそこから導出されたデータを含み、該データは、ウイルス様粒子に組込まれたレセプターおよび該レセプターに結合される化合物を含む複合体を、ＮＭＲに供することによって得られる、データ記憶媒体：
ｂ）該機械読み取り可能なデータを処理するための命令を記憶するための、ワーキングメモリ；
ｃ）該ワーキングメモリおよび該機械読み取り可能なデータ記憶媒体に連結される、該機械読み取り可能なデータを該三次元表示に処理するための、中央処理ユニット；
ｄ）該三次元表示を表示するための、該中央処理ユニットに連結される、ディスプレイ、
を含む、コンピューター。
【請求項５】
膜結合レセプターと結合する化学的実体の可能性を評価する方法であって、該方法は：
ａ）コンピューター手段を使用し、核オーバーハウザー効果のＮＭＲデータまたはそこから導出されるデータを使用して、該化学的実体と該レセプターとの間の適合操作を実施し、ここで、該核オーバーハウザー効果のＮＭＲデータまたはそこから導出されるデータは、ウイルス様粒子に組込まれたレセプターおよび該レセプターに結合された化合物を含む複合体から得られる、工程；ならびに
ｂ）該適合操作の結果を分析し、該化学的実体と該レセプターとの間の結合を定量する工程、
を包含する、方法。
【請求項６】
請求項５に記載の方法であって、該方法は、以下のさらなる工程：
ｃ）一連の異なる化学的実体に対して工程ａ）およびｂ）を繰り返す工程；
ｄ）２つ以上の化学的実体を選択する工程であって、該化学的実体は：
ｉ）前記適合操作の分析に基づいて前記レセプターに結合する可能性を有するように決定され、そして
ｉｉ）直接的にかまたはリンカー部分を介して、互いに化学的に結合し得る、
工程；
ｅ）工程ｄ）において選択された、直接的にかまたはリンカー部分を介して互いに化学的に結合した化学的実体を含む化合物を、該化合物が該レセプターに結合することが可能な条件下で、該レセプターと接触させる工程；ならびに
ｆ）該化合物が、該レセプターに結合するかどうかを決定する工程、
を包含する、方法。
【発明の詳細な説明】
【技術分野】
【０００１】
（発明の技術分野）
本発明は、公知のリガンドの結合立体配座を研究するためにウイルス様粒子（ＶＬＰ）と組合わせてのＮＭＲの使用に関する。特に、本発明は、潜在的なリガンドを同定する目的のために、膜関連レセプターの抽出および単離のためのＶＬＰの使用に関連する。
【背景技術】
【０００２】
（発明の背景）
レセプターは、生物学的膜（すなわち、細胞膜内または表面上に位置する）に関連する分子構造、一般的には、タンパク質として規定され得、特定の物質（リガンド）の選択的結合によって特徴付けられる。ここで、リガンドの結合は、特定の生物学的応答またはその結合に伴うシグナルの形質導入のいずれかを起こす。多くの場合には、そのリガンドとレセプターとの結合立体配座の構造的知識は、科学者が、改良された生物学的特性を有する立体配座的に制限されたアナログを設計することを可能にした。
【０００３】
例えば、Ｍｅｒｃｋのグループ（ＤＦ  Ｖｅｂｅｒら、Ｎａｔｕｒｅ（１９８１）、２９２（５８１８）：５５−５８）は、成長を調節する内因性ペプチドである、ｓｏｍａｔａｓｔａｔｉｎの立体配座的に制限されたアナログを設計し得た。この制限は、立体配座的に決定された低エネルギー立体配座の知識に基づいて設計された。このことは、より強力で、かつよりバイオアベイラビリティーのある分子という結果を得た。Ｓｍｉｔｈ−Ｋｌｉｎｅの別のグループは、ＳＫＦ−３８３９３など、ドーパミンの立体配座的に制限された一連のアナログ、内因性神経伝達物質を実験的に開発した；これらの化合物は、ド−パミンレセプターの１つのサブタイプに対して選択性を有することが示された（Ｓｉｄｈｕ  ＡおよびＫｅｂａｂｉａｎ  ＪＷ、Ｅｕｒ  Ｊ  Ｐｈａｒｍａｃｏｌ（１９８５）１１３（３）：４３７−４４０）。Ｓｍｉｔｈ−Ｋｌｉｎｅの別のグループは、凝固カスケードにおいてフィブリノーゲンレセプターを結合するペプチドの結合立体配座を実験的に決定し、そして対応する制限されないペプチドより２オーダー以上強力な立体配座的に制限されたアナログを設計した（Ｓａｍａｎｅｎ  Ｊら、Ｊ  Ｍｅｄ  Ｃｈｅｍ（１９９１）３４（１０）：３１１４−３１２５）。Ｄｕｐｏｎｔのグループは、非常に強力であり、高い経口バイオアベイラビリティーを有する一連の立体配座的に制限されたアナログを設計するために、Ｘ線によって決定されたＨＩＶインヒビターの結合立体配座を使用した（Ｌａｍ  ＰＹら、Ｓｃｉｅｎｃｅ（１９９４）２６３（５１４５）：３８０−３８４）。このように、立体配座的に制限されたアナログを設計することは、レセプターに結合する際のリガンドの３Ｄ立体配座が、公知である場合に複雑でなく、そして改良された生物学的特性（効力、選択性、バイオアベイラビリティー）を有するこのようなアナログを生成するために必要とされる化学的合成量は、減少される。
【０００４】
レセプターに結合する際のリガンドの３Ｄ立体配座を決定する１つの方法は、核磁気共鳴（ＮＭＲ）分光学の使用を介するものであった。ＮＭＲ分光学は、均一な磁場中の微小サンプルを分析し、そして正確なパルス高周波励起から生じる高周波データを得るプロセスであり、ＢｌｏｃｋおよびＰｕｒｃｅｌｌによって発明された。ＮＭＲ分光学は、長い年月の間、公知の化合物のスペクトルと分析されるべき化合物のスペクトルを比較することによって、そして特定の型の構造の特性であると見出された磁気パラメーター（化学シフトおよびカップリング定数）を提供することによって化合物を同定する際に使用されてきた。このスペクトル分析の方法において使用される技術は、文献に記載されており、そしてＮＭＲ分光器は、市販されている。したがって、ＮＭＲは、構造の特徴づけおよびタンパク質動力学、核酸動力学、炭水化物動力学およびそれらの複合体の動力学において中心的な役割を果たした。結晶学に次いで第２番目に、ＮＭＲ分光学は、構造の並ぶもののない見方を提供し、そしてＮＭＲ分光学は、動力学現象を試験するその能力において何にも劣らないままである。ＮＭＲはまた、温度、溶液条件および大小のリガンドの結合の変化の完全な構造的および力学的効果を観察するための独特の手段も提供する。
【０００５】
しかし、近年まで、膜関連レセプター（すなわち、内因性のタンパク質および膜貫通タンパク質のような膜関連タンパク質を含むレセプター）およびこれらのリガンドの分析は、これらのほとんどの膜関連レセプターが、界面活性剤での可溶化によって抽出および精製され得るのみという事実に起因して多くの問題と長く関連していた。特別には、界面活性剤での可溶化は、膜関連レセプターを単離するのに役立つが、界面活性剤での可溶化はまた、その通常の液体／液体タンパク質環境からそれぞれの膜関連レセプターの除去という結果も生じる。膜関連レセプターの通常の液体／液体タンパク質環境からの分離は、通常、そのネイティブ環境から特定の膜タンパク質の物理的除去の変性効果に起因して、膜関連レセプターの部分的機能または完全な機能のいずれかを損失するという結果を生じる。従って、レセプターは、界面活性剤による可溶化を介した単離の後に、通常各々のリガンドに結合することはできない。このことは、各々の膜結合レセプターに結合した公知のリガンドの結合立体配座の構造的特徴を決定する能力がないことをもたらす。
【０００６】
ところが、膜結合タンパク質の生成におけるウイルス様粒子の使用は、膜結合タンパク質の抽出に関連する問題を克服した。ウイルス様粒子（ＶＬＰ）は、自己構築粒子であり、ウイルス粒子と類似の物理的外観を有する。特に、ＶＬＰは通常、野生型ウイルスの特定の遺伝子を欠くかまたはその機能不全コピーを所有し、これによりＶＬＰは野生型ウイルスの特徴であるいくつかの機能（すなわち、複製または細胞−細胞移動）の不全を生じる。特に、ＶＬＰは目的のタンパク質を組み込むために役立つ。
【０００７】
タンパク質組み込みの１つの方法は、宿主細胞におけるプロセシングされていないポリタンパク質として、レトロウイルスの特定の構造的な遺伝子構成成分（ｇａｇ遺伝子または他のウイルスファミリー由来の構造的タンパク質構成成分）を発現する場合に、この遺伝子のみがＶＬＰの形成および形質膜からの出芽の過程を介して細胞外環境にＶＬＰを放出することが可能であり、かつそれらを担うという知見に基づく。大多数の膜ウイルス様粒子は、多くの場合、適切な細胞膜−形質膜、その他では、ＥＲ、ゴルジ体または他の核膜を通る出芽によって、その膜すなわち「エンベロープ」（脂質二重層および関連した標的タンパク質）を取得する。出芽過程の詳細は、先行技術において公知である（概説については、Ｆｉｅｌｄｓら、「Ｆｕｎｄａｍｅｎｔａｌ  Ｖｉｒｏｌｏｇｙ」、第３章、３版、Ｌｉｐｐｉｎｃｏｔｔ−Ｒａｖｅｎ、１９９６を参照のこと）。ところが、ウイルス様粒子は、また、エキソサイトーシスまたは細胞溶解によって、細胞から放出され得る。さらに膜結合タンパク質を、選択的に組み込むかまたは被包するためのＶＬＰの作製および使用の方法は、当該分野において周知である（例えば、ＷＯ９７／３９１３４およびＷＯ０１／０２５５１；これら両方が、参考として本明細書中に援用される）。
【０００８】
従って、ＶＬＰ技術の使用は、当業者が、タンパク質の膜依存性構造および機能の崩壊なしに、幾分相同質のサンプルを生成するのを可能とする。従って、ＶＬＰ技術を使用して生成および単離される膜結合レセプターは、それぞれのリガンドの３Ｄ結合立体配座を決定するための理想的な候補である。
【発明の開示】
【課題を解決するための手段】
【０００９】
（発明の要旨）
本発明は、一般に、レセプターに結合し得る化合物を同定する方法の提供に役立つ。とりわけ、本発明は、レセプターが膜結合し、およびウイルス様粒子内に組み込まれ、そのレセプターに対する公知のリガンドと複合体形成する方法に関する。
【００１０】
従って、１局面において、本発明は、レセプターに対するリガンドに結合したレセプターの複合体に関する、核オーバーハウザー効果ＮＭＲデータまたはそれらから導出されたデータの提供によって、レセプターに結合し得る化合物の同定の方法に関与し、ここで、このレセプターはウイルス様粒子内に組み込まれている。このデータは、その後、コンピューターによる手段を使用して、分子間相互作用を介してそのレセプターに結合することができる化合物を同定するために使用される。この分子間相互作用は、核オーバーハウザー効果ＮＭＲデータを使用して同定される。次いで、その化合物がそのレセプターを結合するか否かを決定するために、その化合物がそのレセプターに結合するのを可能にさせる条件下で、その化合物はそのレセプターと接触させられる。
【００１１】
１つの実施形態において、提供されたデータはこの核オーバーハウザー効果のＮＭＲデータに由来する構造データである。
【００１２】
別の局面において、本発明は、レセプターとこのレセプターの公知のリガンドとの間の分子間相互作用を同定する方法に関連する。このレセプターは、前述のリガンドと前述のレセプターとの間の複合体の形成を可能にする条件下において、ウイルス様分子の中に組み込まれ、公知のリガンドと接触する。この複合体は、ＮＭＲに供されて、核オーバーハウザー効果データを生じる。必要に応じて、このデータは、次いで、核オーバーハウザー効果データから、構造座標のデータまたは結合角データに変換され得る。次いで、この核オーバーハウザー効果データまたはそれらの変換されたデータは、解釈され、このレセプターと前述の複合体におけるリガンドとの間との分子間相互作用を同定する。
【００１３】
本発明は、また、レセプターに結合した化合物の３次元表示を生成するためのコンピューターを提供する。適切にプログラムされ、必要な観測機器に取り付けられた、このようなコンピューターは、レセプターに結合した化合物の３次元画像表示を表示し得る。詳細には、このコンピューターは、機械読み取り可能データを符号化した、データ記憶物質を有する機械読み取り可能データ記憶媒体を備え、ここで、前述のデータは、核オーバーハウザー効果データまたはそれらから導出されたデータを含み；前述の機械読み取り可能データを処理するための命令を記憶するためのワーキングメモリ；前述の機械読み取り可能データを前述の３次元表示へと処理するための前述のワーキングメモリおよび前述の機械で読み出し可能なデータ記憶媒体を接続させた中央処理ユニット；ならびに前述の３次元表示を表示するための、前述の中央処理ユニットに接続させたディスプレイ。これらのデータは、ウイルス様粒子に組み込まれたレセプターとレセプターに結合した化合物を含む複合体をＮＭＲに供することにより、所得される。
【００１４】
本発明はまた、膜結合レセプターと結合する化学的実体の潜在能力を評価する方法を提供し、この方法は、この化学的実体とこのレセプターとの間のフィッティング操作を実施するコンピューター手段を使用することによって評価し、このフィッティングは、核オーバーハウザー効果ＮＭＲデータまたはそれらから導出されるデータを利用する。この核オーバーハウザー効果ＮＭＲデータは、ウイルス様粒子に組み込まれたレセプターおよび前述のレセプターに結合する化合物を含む複合体から所得された。次いで、前述のフィッティング操作の結果が分析されて、この化学的実体とこのレセプターとの間の結合を定量し得る。
【００１５】
１つの実施形態において、上記の方法は一連の異なる化学的実体において実施され、ここでこれらの化学的実体のうち、２つ以上のものが選択され、これらはフィッティング操作の分析に基づいてそのレセプターに結合する能力に対して決定されたものであり、そして、直接的にか、またはリンカー部分を介して、互いに化学的に結合し得る。次いで、選択された化学的実体を含む化合物は、前述のレセプターに前述の化合物を結合させる条件下でレセプターと接触させ、その結果、前述の化合物が、前述のレセプターと結合するか否かが決定され得る。
（発明の詳細な説明）
本明細書中で記載された発明が、完全に理解され得るために、以下に詳細な説明を示す。
【００１６】
本発明は、一般的に、レセプターに結合し得る化合物を同定する方法を提供するために、供される。詳細には、本発明は、方法に関連し、ここでこのレセプターは膜に結合しており、ウイルス様粒子に組み込まれ、このレセプターについて既知のリガンドと複合体化する。
【００１７】
「膜結合レセプター」は、生体膜または細胞膜（例えば、多くの場合は原型質膜、ＥＲ、ゴルジ、もしくは核膜）の表面内またはその表面上に位置するレセプターである。
【００１８】
「保存的置換（基）」は、対応する参照の残基と物理的、機能的に類似の残基をいう。すなわち、保存的置換（基）およびその参照の残基は、同様な大きさ、形状、電荷、共有結合または水素結合を形成する能力などを含む化学的特性を有する。好ましい保存的置換（基）は、Ｄａｙｈｏｆｆら、Ａｔｌａｓ  ｏｆ  Ｐｒｏｔｅｉｎ  Ｓｅｑｕｅｎｃｅ  ａｎｄ  Ｓｔｒｕｃｔｕｒｅ，５，３４５〜３５２頁（１９７８および補遺）（本明細書中において参考として緩用される）において受容される点変異体について規定された基準を満たすものである。保存的置換基の実施例には、以下の群が挙げられるが、これらに限定されない：（ａ）バリン、グリシン；（ｂ）グリシン、アラニン；（ｃ）バリン、イソロイシン、ロイシン；（ｄ）アスパラギン酸、グルタミン酸；（ｅ）アスパラギン、グルタミン；（ｆ）セリン、スレオニン；（ｇ）リシン、アルギニン、メチオニン；および（ｈ）フェニルアラニン、チロシン。
【００１９】
従って、１つの局面において、本発明は、提供されたＮＭＲデータまたはそのＮＭＲデータから導出されたデータを提供することにより、そのレセプターについてのリガンドに結合したレセプターの複合体において、レセプターに結合し得る化合物を同定する方法に関し、ここで、このレセプターは、ウイルス様粒子に組み込まれる。「ウイルス様粒子」（ＶＬＰ）は、ウイルス粒子が野生型ウイルスの特定の遺伝子を欠くか、またはその不正コピーを有する場合（ＶＬＰは、野生型ウイルスの特徴であるいくつかの機能（例えば、複製または細胞―細胞運動）を欠く結果となる）を除いて、ウイルス粒子に類似の物理的現象を有する自己アセンブリ粒子である。
【００２０】
ウイルス様粒子に目的のタンパク質を選択的に組み込むか、または選択的にカプセル化するための方法は、当該分野で周知であり、そしてこの方法は、宿主細胞においてプロセッシングされていないタンパク質として、レトロウイルスの特定の構造遺伝子構成成分（ｇａｇ遺伝子または他のウイルスファミリーからの構造的タンパク質構成成分）が発現される場合、この遺伝子のみが、ＶＬＰの形成および形質膜から出芽の過程を経る細胞外環境へのＶＬＰの放出をし得、そしてこれらの原因であるという観察に基づいている。ペプチドまたはポリペプチドが、由来する宿主細胞に選択的に取り込まれるか、またはその内部にカプセル化されて小包粒子を規定するという方法論に、この観察は適合され、そして開発された。ＶＬＰを用いた目的のレセプターを単離または抽出するための技術は、当該分野で周知である。例えば、ＷＯ  ０１／０２５５１およびＷＯ  ９７／３９１３４（この両方が、その全体を参考として本明細書に援用される目的のタンパク質を含むＶＬＰを産生するための種々の方法、および薬物候補についてのスクリーニングにおけるそれらの使用、ならびに機能的ゲノム適用におけるそれらの使用を記載する）。
【００２１】
詳細には、ＷＯ  ０１／０２５５１は、一般的タグ化（ｔａｇｇｉｎｇ）戦略を用いて目的のタンパク質を含むＶＬＰを作製する方法を記載する。例えば、目的のレセプターは、ウイルス様粒子に対して通常は異種であり、また当該分野で周知の方法により、少なくともウイルスカプシドタンパク質またはエンベロープタンパク質のフラグメントあるいはウイルスカプシドまたはエンベロープタンパク質の前駆体を含むように操作され得る。しかしながら、少なくともウイルス様粒子のカプシドまたはエンベロープタンパク質のフラグメントあるいは前記のカプシドまたはエンベロープタンパク質の前駆体もまた含み得る。
【００２２】
レトロウイルスは、他の構成成分の中でも、ウイルス性遺伝物質および逆転写酵素複合体を含むタンパク質カプシドを有する。カプシドまたはエンベロープタンパク質は、種々のウイルスファミリー（レトロウイルス、ピコルナウイルス、レオウイルス、ポリオーマウイルス、パピロ―マウイルス、パルボウイルス、ノーダウイルス、コロナウイルス、ヘルペスウイルス、へパドナウイルス、バキュロウイルス、およびバクテリオファージが挙げられるが、これらに限定されない）から選択され得る。特に適切なウイルスのリストは、ＷＯ  ０１／０２５５１特許出願の表１において与えられる。
【００２３】
カプシドの外部は、ウイルスエンベロープ糖タンパク質が埋め込まれている宿主細胞の形質膜から得られたリン脂質二重膜である。感染サイクルの間、これらのエンベロープ糖タンパク質は、宿主細胞の表面上の特異的レセプターを認識および結合し、そしてウイルスおよび細胞の融合を誘導することにより感染を開始する。細胞内ゲノム複製および細胞染色体へのそれらの組み込みの後に、構造的タンパク質をコードするウイルスＲＮＡが産生され、そして発現期ビリオンが、集積される。新しく合成されるウイルスカプシドは、細胞質タンパク質を除いた大部分について、ウイルスの出芽期間の間、形質膜からのウイルス糖タンパク質を特異的に取り込む。このレトロウイルスの集積過程は、レトロウイルスの基本的分子生物学の重要な局面である。このウイルスカプシド形成の過程および出芽過程による宿主細胞からの放出は、以下にさらに詳しく記載される。
【００２４】
全てのレトロウイルスのゲノムは、主に３つの主要な遺伝子産物をコードする（特に、構造的タンパク質をコードするｇａｇ遺伝子、逆転写酵素および関連するタンパク質分解性ポリペプチド、ヌクレアーゼならびに機能に関連するインテグラーゼをコードするｐｏｌ遺伝子、そして感染細胞の表面上およびまた放出されたウイルス粒子を成熟体の表面上で検出される糖タンパク質膜タンパク質をコードするｅｎｖ）。これまでに解析された全てのレトロウイルスのｇａｇ遺伝子は、全体的に構造の類似性を有しており、各群内のアミノ酸レベルの点で特に保存される。
【００２５】
ｇａｇ遺伝子およびｐｏｌ遺伝子は、両産物について共に分類され得、単一の高分子量前駆体ポリプロテイン（例えば、後に切断されて成熟タンパク質を生じるＰｒ６５’９（ネズミロイコネミア（ｌｅｕｋａｅｍｉａ）ウイルス（ＭｕＬＶ））またはＰｒ２００Ｇａ９−Ｐｏｌ）として合成される。Ｇａｇタンパク質は、逆転写酵素を除くコアタンパク質を生じる。Ｍｕｌ−Ｖについて、Ｇａｇ前駆体ポリプロテインは、Ｐｒ６５Ｇａ９であり、そして４つのタンパク質に切断され、そしてこれら切断は、ウイルスタンパク分解酵素によって媒介されるようである。Ｍｕｌ−Ｖ  Ｇａｇタンパク質は、グリコシル化形態および非グリコシル化形態で存在する。グリコシル化形態は、非グリコシル化Ｐｒ６５Ｇａ９についてのＡＵＧコドンから上流に位置する異なるインフレームの開始コドンから合成されるｇＰｒ８０（；ａ９から切断される。グリコシル化Ｇａｇを合成しないＭｕＬＶの欠失変異体は、さらに感染性であり、従ってグリコシル化事象の重要性に対して疑問が生じる。ウイルスがコードするプロテアーゼによる５５，０００Ｄａ（ｐｒ５５Ｇａ９）のＨＩＶ−１  Ｇａｇ前駆体の翻訳後開裂は、Ｎ−ミリストイル化および内部的にリン酸化されたｐ１７マトリックスタンパク質（ｐ１７ＭＡ）、リン酸化したｐ２４カプシドタンパク質（ｐ２４ＣＡ）、ならびにヌクレオカプシドタンパク質ｐ１５（ｐ１５ＮＣ）（さらにｐ９およびｐ６に開裂される）を産生する。ＭｕＬＶ  ｐｏｌ遺伝子の翻訳は、ｇａｇ遺伝子の末端に近いリボソームの−１フレームシフトにより達成される。翻訳フレームシフトは、短縮化Ｇａｇ融合タンパク質（ｐｏｌリーディングフレームの産物と融合する）から成る、１６０ＫＤポリプロテインの合成を可能にする。しかしながら、ＧａｇＰｏｌ融合タンパク質の産生レベルは、Ｇａｇタンパク質の産生レベルの５〜１０％しかない（Ｊａｃｋｓら、Ｃｅｌｌ  ５５、４４７〜４５８、１９８８；Ｗｉｌｓｏｎら、Ｃｅｌｌ  ５５、１１５９１１６９、１９８８）。
【００２６】
ｐｏｌ遺伝子は、ウイルス性プロテアーゼにより前駆体から開裂される、ウイルス性酵素プロテアーゼ、逆転写酵素、およびインテグラーゼをコードする（Ｌｉｇｈｔｆｏｏｔｅら、Ｊ．Ｖｉｒｏｌ．６０、７７１〜７７５、１９８６．；Ｏｒｏｓｚｌａｎ  ａｎｄ  Ｌｕｆｔｉｇ  Ｃｕｒｒ  Ｔｏｐ  Ｍｉｃｒｏｂｉｏｌ  Ｉｍｍｕｎｏｌ  １５７、１５３〜１８５、１９９０；Ｐｅｎｇら、Ｊ．Ｖｉｒｏｌ．６５、２７５１〜２７５６、１９９１）。
【００２７】
ｅｎｖ遺伝子は、感染サイクルを開始するために必要なビリオンの表面糖タンパク質をコードする。互いに密接に関連していないが、異なる群のｅｖｎ遺伝子は、多くの構造的類似性を示す。ｅｖｎ産物のアミノ末端配列は、Ｅｎｖ前駆体の膜貫通プロセシングの結果として開裂されるシグナルペプチドをコードする。ＭｕＬＶ  Ｐｒ９０Ｅ””のｅｎｖ遺伝子産物は、グリコシル化され、互いにジスルフィド結合によって結合したままであるｑｐ７０およびｐ１５Ｅに開裂される。Ｐ１５Ｅは、脂質膜の内部に位置するそのカルボキシル末端および膜外に位置するそのアミノ末端を有する膜貫通タンパク質である。電子顕微鏡写真において、Ｐ１５Ｅはウイルスのエンベロープ上でスパイクを表し、一方ｑｐ７０はスパイクの上にあるノブである。すでに記述したように、より大きなアミノ末端タンパク質は、宿主範囲を特定するための決定基を含んでいる。より小さなカルボキシル末端タンパク質は、そのカルボキシル末端の近くに膜貫通アンカー領域を構成する、２０以上のアミノ酸の疎水性ドメイン、その後の塩基性アミノ酸および種々のサイズの細胞質ドメイン（おそらくカプシドタンパク質の認識に関係する）を常に含む。
【００２８】
レトロウイルスのアセンブリは、細胞形質膜の出芽プロセスにより生じる。いくつかのレトロウイルスを用いた研究が、他のウイルス構成成分の非存在下で発現するＧａｇポリタンパク質は、細胞表面における粒子形成および出芽のためにそれ自体で完全であることを証明した（Ｗｉｌｌｓ  ａｎｄ  Ｃｒａｖｅｎ  ＡＩＤＳ  ５、６３９〜６５４、１９９１；Ｚｈｏｕら、Ｊ．Ｖｉｒｏｌ．  ６８、２５５６〜２５６９、１９９４；Ｍｏｒｉｋａｗａら、Ｖｉｒｏｌｏｇｙ  １８３、２８８〜２９７、１９９１；Ｒｏｙｅｒら、Ｖｉｒｏｌｏｇｙ  １８４、４１７４２２、１９９１；Ｇｈｅｙｓｅｎら、Ｃｅｌｌ  ５９、１０３〜１１２、１９８９；Ｈｕｇｈｅｓら、Ｖｉｒｏｌｏｇｙ  １９３、２４２〜２５５、１９９３；Ｙａｍｓｈｃｈｉｋｏｖら、Ｖｉｒｏｌｏｇｙ  ２１４、５０〜５８、１９９５）。バキュロウイルスベクターを使用した昆虫細胞におけるＧａｇ前駆体発現の際のレトロウイルス様粒子の形成が、いくつかのグループによって証明された（Ｄｅｌｃｈａｍｂｒｅら、ＥＭＢＯ  Ｊ  ８、２６５３〜２６６０、１９８９；Ｌｕｏら、Ｖｉｒｏｌｏｇｙ  １７９、８７４〜８８０、１９９０；Ｒｏｙｅｒら、Ｖｉｒｏｌｏｇｙ  １８４、４１７〜４２２、１９９１；Ｍｏｒｉｋａｗａら、Ｖｉｒｏｌｏｇｙ  １８３、２８８〜２９７、１９９１；Ｚｈｏｕら、Ｊ．Ｖｉｒｏｌ．６８、２５５６〜２５６９、１９９４；Ｇｈｅｙｓｅｎら、Ｃｅｌｌ  ５９、１０３〜１１２、１９８９；Ｈｕｇｈｅｓら、Ｖｉｒｏｌｏｇｙ  １９３、２４２〜２５５、１９９３；Ｙａｍｓｈｃｈｉｋｏｖら、Ｖｉｒｏｌｏｇｙ  ２１４、５０〜５８、１９９５）。
【００２９】
さらに、Ｇａｇ前駆体のアミノ末端領域は、細胞表面への輸送およびウイルスアセンブリーに要求される膜結合の標的シグナルであることが報告されている（Ｙｕら、Ｊ．Ｖｉｒｏｌ．６６、４９６６〜４９７１、１９９２；ａｎ、Ｘら、Ｊ．Ｖｉｒｏｌ．６７、６３８７〜６３９４、１９９３；Ｚｈｏｕら、Ｊ．Ｖｉｒｏｌ：６８、２５５６２５６９、１９９４；ＬｅｅおよびＬｉｎｉａｌ  Ｊ．Ｖｉｒｏｌ．６８、６６４４〜６６５４、１９９４；Ｄｏｒｆｍａｎら、Ｊ．Ｖｉｒｏｌ．６８、１６８９〜１６９６、１９９４；Ｆａｃｋｅら、Ｊ．Ｖｉｒｏｌ．６７、４９７２〜４９８０、１９９３）。エンベロープタンパク質の形質膜（ウイルス粒子のエンベロープ由来）への特異的取り込みの機構は、理解されていないが、マトリックスタンパク質とのＥｎｖの相互作用は、重要であると思われる（Ｙｕら、Ｊ．Ｖｉｒｏｌ．６６、４９６６〜４９７１、１９９２；Ｄｏｒｆｍａｎら、Ｊ．Ｖｉｒｏｌ．６８、１６８９〜１６９６、１９９４；Ｇａｌｌａｈｅｒら、ＡＩＤＳ  Ｒｅｓ  Ｈｕｍ  Ｒｅｔｒｏｖｉｒｕｓｅｓ  １１、１９１〜２０２、１９９５；Ｂｕｇｅｌｓｋｉ、Ｐ．Ｊ．ら、ＡＩＤＳ  Ｒｅｓ  Ｈｕｍ  Ｒｅｔｒｏｖｉｒｕｓｅｓ  １１、５５〜６４、１９９５）。
【００３０】
一旦サンプル形成のために目的のレセプターがＶＬＰの中に取り込まれると、ＶＬＰサンプルは、リガンド−レセプター複合体の形成を可能にする条件下で公知のリガンドと接触させられる。「公知のリガンド」は、当該技術において目的のレセプターに結合すると公知である化合物または物質であり、ここでリガンドの結合は、特異的な生物学的応答または結合に付随するシグナル伝達のいずれかを開始する。用語「リガンド−レセプター複合体」は、公知のリガンドまたは化学的実体（例えば、潜在的なリガンド）と目的のレセプターの結合により形成される分子複合体をいう。
【００３１】
次にリガンド−レセプター複合体は、核オーバーハウザー効果データを得るため、ＮＭＲに供される。ＮＭＲで用いられる技術は、文献に記述されており、ＮＭＲ分光計は、市販入手可能である。例えば、本発明に従って使用されるＮＭＲデータを得るための代表的ＮＭＲ実験は、ＮＯＥＳＹ（Ｎｕｃｌｅａｒ  Ｏｖｅｒｈａｕｓｅｒ  Ｅｆｆｅｃｔ  Ｓｐｅｃｔｒｏｓｃｏｐｙ）である。ＮＯＥＳＹは、所与のタンパク質内の空間的に近接した（約５Å以下の距離内の）プロトン対を同定することを可能にする。ＮＯＥＳＹは、広範な種々のＮＭＲパルスの系列を介して実施され得る。その最も一般的な具体化において、ＮＯＥＳＹは、２次元ＮＭＲスペクトルを提供する。そのスペクトルは、２Ｄ正方行列等高線図（ｃｏｎｔｏｕｒ  ｐｌｏｔ）のプロットとして最もよく示され、ここで、変化する強度の「スポット」または「ピーク」は、種々の対角位置および非対角位置に現れる。対角のピークは、その分子の種々のプロトンに属するＮＭＲ共鳴に対応する。すなわち、各々の決定した対角のピークは、特定のプロトンに対応する。所望のプロトン間距離の情報は、対角のピークを結合する交差ピークにある。具体的には、２つのプロトンの対角のピークの距離間のＮＯＥ交差ピークの出現は、対応するプロトンが、空間的に近い（すなわち、約５Å未満）ことを意味する。文献において、ＮＯＥＳＹ交差ピークは、しばしば単にＮＯＥと呼ばれる；この約束事は、これ以降採用される。ＮＯＥ強度は、ＮＯＥＳでのパラメトリックの遅延の間に増加する；この遅延は、「混合時間（ｍｉｘｉｎｇ  ｔｉｍｅ）」として知られる。ＮＯＥＳＹが、十分に短い混合時間で測定される場合、ＮＯＥの相対的な増強は、相対的なプロトン間の距離と相関する。より厳格には、混合時間の間のＮＯＥの増強速度は、プロトン間の距離の６乗に逆比例する。
【００３２】
分子の質量に対するＮＯＥ交差ピークの反応への影響を評価することが重要である。ＧＰＣＲのような高分子は、溶液中でゆっくり回転する。結果として、ＮＯＥは、対角ピークに関しては正である。さらに、ＮＯＥは、強く、そしてＮＯＥＳＹ混合時間の間に急速に増加する。対照的に、小さい分子（例えば、Ｍｒ＜１０００）は、溶液中で急速に回転する。結果として、ＮＯＥ増強速度は、より遅くなる。さらに、ＮＯＥは、しばしば対角線ピークに関して、反対のシグナル、すなわち０またはわずかに正を示す。従って、短い混合時間（＜２００ｍｓ）の間に、低分子のＮＯＥは、高分子のＮＯＥよりももっと弱いことが期待される。
【００３３】
ＮＯＥＳＹを計測した後、分光学者は、分子内の特定のプロトン対に可能性のある多くのＮＯＥを割り当てなければならない。ＮＯＥを割り当てる能力は、プロトン共鳴が、すでに標準的なＮＭＲ実験を介して割り当てられていることを仮定する。割り当ての後、分光学者は、プロトン間の割り当てられた距離拘束のデータベースを有する。これらの距離の拘束は、そのＮＯＥデータと一致する三次元溶液構造を生成する、商業的な供給元から利用可能な標準的なアルゴリズムに対するインプットである。
【００３４】
溶液中で急速に回転する分子は、鋭くて強いＮＭＲ共鳴線を結ぶ。対照的に、より遅く回転する分子は、すべてのＮＭＲ実験の感度および正確性に不利益を与えるより広い（ブロードな）ＮＭＲ共鳴線を与える。結果として、膜レセプターおよびイオンチャネルのような大きい標的分子のＮＯＥＳＹスペクトルは、説明しがたく、従って、構造決定を妨げる。
【００３５】
特定の環境下において、上記の複雑化は、いわゆる「転移ＮＯＥ」（ｔＮＯＥ）法を使用することによって回避される。この方法は、遊離状態と標的結合状態との間を急速な化学変化をうけるリガンドに対して利用される。変化を早く伝える条件は、リガンド結合平衡に関する一定の平衡電離ＫＤにおいて記載され得る。ＫＤ＞１００ｎＭで結合するリガンドは、代表的に速く交換反応を行う。速い変化の結果は、単一のセットのＮＭＲ共鳴が、そのリガンドに対して観察されることである。ｔＮＯＥ法において、分光学者は、巨大分子  対  低分子に対するＮＯＥＳＹ実験の上記の差次的な挙動を利用する。具体的には、リガンドが、標的分子に結合している場合、それが、結合状態の構造のＮＯＥ特徴を一時的に発揮する。さらに、その結合したリガンドが、より大きい標的のゆっくりした回転を共有するので、その結合状態のＮＯＥは、対角線に関して正であり、そしてＮＯＥＳＹ混合時間の間、急速に増強する。次いでその結合状態のＮＯＥは、化学交換反応を介して遊離状態に転移し（リガンドは、標的から離れる）、そして転移ＮＯＥになる。遊離状態において、離れたリガンドは急速に回転し、特徴的に鋭くて強いシグナルで生む。この様式において、結合状態のＮＯＥ（ｔＮＯＥ）は、遊離リガンドの鋭い共鳴を介して容易にかつ敏感に検出し得る。リガンド共鳴の望ましい特性を利用するため、およびリガンドシグナルの選択的な観測を促進するために、代表的に１０〜１００：１の範囲で標的に対するリガンドの超過した質量で利用する。最終的な結果は、交差ピークが、主にｔＮＯＥからの寄与を含み、他方、対角ピークが遊離状態のリガンドからの寄与を主に含むＮＯＥＳＹスペクトルである。遊離状態のリガンドにネイティブなＮＯＥからの寄与もまた存在する。しかし、上述のように、遊離状態のＮＯＥは、ｔＮＯＥよりずっと弱いことが期待される。ＮＯＥＳＹ交差ピークの正しい分析は、結合したリガンド構造の決定に導く。概説として、Ｋｉｓｓｅｌｅｖら、Ｐｒｏｃ．  Ｎａｔｌ．  Ａｃａｄ．  Ｓｃｉ．，Ｖｏｌ．９５，ｐｐ．４２７０−４２７５（１９９８）を参照のこと；また、Ｉｎｏｏｋａら、Ｎａｔｕｒｅ  Ｓｔｒｕｃｔ．Ｂｉｏｌ．，Ｖｏｌ．８，ｐｐ．１８１−１６４（２００１）も参照のこと。
【００３６】
他の補完的なＮＭＲ実験が、結合リガンドの構造情報を得るのに利用可能であるということもまた、注目すべきである。例えば、変換した相互相関弛緩測定値（Ｃａｒｌｏｍａｇｎｏ，Ｔ．、Ｆｅｌｌｉ，Ｉ．Ｃ．、Ｃｚｅｃｈ，Ｍ．、Ｆｉｓｃｈｅｒ，Ｒ．、Ｓｐｒｉｎｚｌ，Ｍ．、およびＧｒｉｅｓｉｎｇｅｒ，Ｃ．、「Ａｐｐｌｉｃａｔｉｏｎ  ｔｏ  ｔｈｅ  Ｄｅｔｅｒｍｉｎａｔｉｏｎ  ｏｆ  Ｓｕｇａｒ  Ｐｕｃｋｅｒ  ｉｎ  ａｎ  ａｍｉｎａｃｙｌａｔｅｄ  ｔＲＮＡ−Ｍｉｍｅｔｉｃ  Ｗｅａｋｌｙ  Ｂｏｕｎｄ  ｔｏ  ＥＦ−Ｔｕ」、Ｊ．Ａｍ．Ｃｈｅｍ．Ｓｏｃ．１２１，１９４５−１９４８（１９９９））、弛緩異方性の変化（Ｔｊａｎｄｒａ，Ｎ．、Ｇａｒｒｅｔｔ，Ｄ．Ｓ．、Ｇｒｏｎｅｎｂｏｒｎ，Ａ．Ｍ．、Ｂａｘ，Ａ．およびＣｌｏｒｅ，Ｇ．Ｍ．、「Ｄｅｆｉｎｉｎｇ  ｌｏｎｇ  ｒａｎｇｅ  ｏｒｄｅｒ  ｏｎ  ＮＭＲ  ｓｔｒｕｃｔｕｒｅ  ｄｅｔｅｒｍｉｎａｔｉｏｎ  ｆｒｏｍ  ｔｈｅ  ｄｅｐｅｎｄｅｎｃｅ  ｏｆ  ｈｅｔｅｒｏｎｕｃｌｅａｒ  ｒｅｌａｘａｔｉｏｎ  ｔｉｍｅｓ  ｏｎ  ｒｏｔａｔｉｏｎａｌ  ｄｉｆｆｕｓｉｏｎ  ａｎｉｓｔｒｏｐｙ」、Ｎａｔ  Ｓｔｒｕｃｔ  Ｂｉｏｌ  ４（６）、４４３−４４９（１９９７））、異方性媒体における変換した残余の双極子カップリング（Ｋｏｅｎｉｇ，Ｂ．Ｗ．、Ｍｉｔｃｈｅｌｌ，Ｄ．Ｃ．、Ｋｏｎｉｇ，Ｓ．、Ｇｒｚｅｓｉｅｋ，Ｓ．、Ｌｉｔｍａｎ，Ｂ．Ｊ．、およびＢａｘ，Ａ．、「Ｍｅａｓｕｒｅｍｅｎｔ  ｏｆ  ｄｉｐｏｌａｒ  ｃｏｕｐｌｉｎｇｓ  ｉｎ  ａ  ｔｒａｎｓｄｕｃｉｎ  ｐｅｐｔｉｄｅ  ｆｒａｇｍｅｎｔ  ｗｅａｋｌｙ  ｂｏｕｎｄ  ｔｏ  ｐｈｏｔｏａｃｔｉｖａｔｅｄ  ｒｈｏｄｏｐｓｉｎ」、Ｊ．Ｂｉｏｌｍｏｌ．ＮＭＲ．１６（２），１２１−１２５（２０００））を使用し得、そして潜在的にはさらにスピン標識（「Ｓｐｉｎ  Ｌａｂｅｌ  Ｅｎｈａｎｃｅｄ  ＮＭＲ  Ｓｃｒｅｅｎｉｎｇ」、Ｊａｈｎｋｅ，Ｗ．、Ｒｕｅｄｉｓｓｅｒ，Ｓ．、およびＺｕｒｉｎｉ，Ｍ．、Ｊ．Ａｍ．Ｃｈｅｍ．Ｓｏｃ．１２３，３１４９−３１５０（２００１））を使用し得る。現在、これらの方法は、ＮＯＥＳＹほど敏感でなく、またはＮＯＥＳＹほど直接的でない。しかし、ＮＭＲ技術および同位元素標識ストラテジーにおける進行中の改善は、これを変更し得る。
【００３７】
必要な場合、核オーバーハウザー効果ＮＭＲデータが構造座標データまたは結合角データに変換され得る。用語「構造座標」は、結晶形のタンパク質またはタンパク質複合体の原子（散乱中心）による単色Ｘ線ビームの散乱について得られたパターンに関する数学式から導かれたデカルト座標をいう。この回折データは、結晶の反復単位の電子密度マップを計算するのに使用される。次いで、この電子密度マップを使用して、酵素または酵素複合体の個々の原子の位置を確立する。
【００３８】
ＮＭＲ構造決定アルゴリズムは、実験的に観察された立体配座の制約のコレクションを最も満足させる一連の分子のデカルト（ｘ，ｙ，ｚ）座標を作成する。これらの制約は、最も一般的には、核オーバーハウザー効果ＮＭＲデータ由来であるが、他の型のデータもまた含み得る（上記参照）。最も一般的なアプローチにおいて、この制約は、多次元ＮＯＥＳＹスペクトルからのおびただしい数の近接したプロトン間距離である。次いで、ディスタンスジオメトリープログラム（例えば、ＤＧＩＩ（ＮＭＲｃｈｉｔｅｃｔの−部分、Ｂｉｏｓｙｍ／Ｍｏｌｅｃｕｌａｒ  Ｓｉｍｕｌａｔｉｏｎｓ  Ｉｎｃ．、Ｓａｎ  Ｄｉｅｇｏ  ＣＡ．元の研究は、Ｈａｖｅｌ，Ｔ．Ｆ．「Ｔｈｅ  Ｓａｍｐｌｉｎｇ  Ｐｒｏｐｅｒｔｉｅｓ  ｏｆ  Ｓｏｍｅ  ｄｉｓｔａｎｃｅ  Ｇｅｏｍｅｔｒｙ  Ａｌｇｏｒｉｔｈｍｓ  Ａｐｐｌｉｅｄ  ｔｏ  Ｕｎｃｏｎｓｔｒａｉｎｅｄ  Ｐｏｌｙｐｅｐｔｉｄｅ  Ｃｈａｉｎｓ：  Ａ  Ｓｔｕｄｙ  ｏｆ  １８３０  Ｉｎｄｅｐｅｎｄｅｎｔｌｙ  Ｃｏｍｐｕｔｅｄ  Ｃｏｎｆｏｒｍａｔｉｏｎｓ」、Ｂｉｏｐｏｌｙｍｅｒｓ，２９  １５６５（１９８５）に記載される））が、これらのプロトン間距離制約を最も満足させるデカルト座標のセットを探索する。この結果は、核オーバーハウザー効果ＮＭＲデータと一致する構造のセットである。次いで、構造は、生体分子（例えば、不良な分子間接触を避けるための分子動力学シミュレーションを介したエネルギー最小化）の公知の物理的特性について、さらに精密化される。核オーバーハウザー効果データが最も一般的な実験的に観察可能なものである一方、上述されたＮＭＲ構造データの型のいずれか１つを、実験データと一致する分子構造（例えば、デカルト座標）に変換し得る市販のソフトウェアプログラムが利用可能であることを留意しなければならない。これらの構造座標を得る一般的な方法は、これらの座標の解釈およびタンパク質構造を理解することにおけるそれらの有用性は、本明細書中に記載されるように、当業者によって、そして以下のような標準的参考文献を参照して理解される。
【００３９】
１．Ｎｅｕｈａｕｓ，Ｄ．；Ｗｉｌｌｉａｍｓｏｎ  Ｍ．Ｐ．  Ｔｈｅ  Ｎｕｃｌｅａｒ  Ｏｖｅｒｈａｕｓｅｒ  Ｅｆｆｅｃｔ  ｉｎ  Ｓｔｒｕｃｔｕｒａｌ  ａｎｄ  Ｃｏｎｆｏｒｍａｔｉｏｎａｌ  Ａｎａｌｙｓｉｓ；ＶＣＨ  Ｐｕｂｌｉｓｈｅｒｓ，Ｉｎｃ．；Ｎｅｗ  Ｙｏｒｋ（１９８９）。
【００４０】
２．Ｎｉｌｇｅｓ，Ｍ；Ｃｌｏｒｅ，Ｇ．Ｍ；Ｇｒｏｎｅｎｂｏｒｎ，Ａ．Ｍ．「Ｄｅｔｅｒｍｉｎａｔｉｏｎ  ｏｆ  Ｔｈｒｅｅ−Ｄｉｍｅｎｓｉｏｎａｌ  Ｓｔｒｕｃｔｕｒｅｓ  ｏｆ  Ｐｒｏｔｅｉｎｓ  Ｆｒｏｍ  Ｉｎｔｅｒｐｒｏｔｏｎ  Ｄｉｓｔａｎｃｅ  Ｄａｔａ  ｂｙ  Ｄｙｎａｍｉｃａｌ  Ｓｉｍｕｌａｔｅｄ  Ａｎｎｅａｌｉｎｇ  Ｆｒｏｍ  ａ  Ｒａｎｄｏｍ  Ａｒｒａｙ  ｏｆ  Ａｔｏｍｓ」、ＦＥＢＳ  Ｌｅｔｔ２３９，１２９−１３６（１９８８）。
【００４１】
３．Ｈａｖｅｌ，Ｔ．Ｆ．「Ａｎ  Ｅｖａｌｕａｔｉｏｎ  ｏｆ  Ｃｏｍｐｕｔａｔｉｏｎａｌ  Ｓｔｒａｔｅｇｉｅｓ  ｆｏｒ  Ｕｓｅ  ｉｎ  ｔｈｅ  Ｄｅｔｅｒｍｉｎａｔｉｏｎ  ｏｆ  Ｐｒｏｔｅｉｎ  Ｓｔｒｕｃｔｕｒｅ  ｆｒｏｍ  Ｄｉｓｔａｎｃｅ  Ｃｏｎｓｔｒａｉｎｔｓ  ｏｂｔａｉｎｅｄ  ｂｙ  Ｎｕｃｌｅａｒ  Ｍａｇｎｅｔｉｃ  Ｒｅｓｏｎａｎｃｅ」、Ｐｒｏｇ  Ｂｉｏｐｈｙｓ  Ｍｏｌ  Ｂｉｏｌ  ５６  ４３−７８（１９９１）。
【００４２】
４．「ＮＭＲｃｈｔｅｃｔ  ９５．０」のための使用者のガイド、ＢＩＯＳＹＭ／Ｍｏｌｅｃｕｌａｒ  Ｓｉｍｕｌａｔｉｏｎｓ  Ｉｎｃ．，Ｓａｎ  Ｄｉｅｇｏ  ＣＡ。
【００４３】
以下の略語は、レセプター−リガンド複合体についてのＮＭＲ分析から作成され得る構造座標を記載するために使用される。
【００４４】
「原子型」は、その座標が測定される元素をいう。欄の最初の文字が元素を規定する。
【００４５】
「Ｘ，Ｙ，Ｚ」は、測定される元素の原子位置を規定する。
【００４６】
タンパク質構造および機能を記述することにおいて、タンパク質を構成するアミノ酸が参照される。アミノ酸はまた、以下の表に示すような、従来の略称によって呼ばれ得る。
Ａ  ＝  Ａｌａ  ＝アラニン
Ｖ  ＝  Ｖａｌ  ＝バリン
Ｌ  ＝  Ｌｅｕ  ＝ロイシン
Ｉ  ＝  Ｉｌｅ  ＝イソロイシン
Ｐ  ＝  Ｐｒｏ  ＝プロリン
Ｆ  ＝  Ｐｈｅ  ＝フェニルアラニン
Ｗ  ＝  Ｔｒｐ  ＝トリプトファン
Ｍ  ＝  Ｍｅｔ  ＝メチオニン
Ｇ  ＝  Ｇｌｙ  ＝グリシン
Ｓ  ＝  Ｓｅｒ  ＝セリン
Ｔ  ＝  Ｔｈｒ  ＝トレオニン
Ｃ  ＝  Ｃｙｓ  ＝システイン
Ｙ  ＝  Ｔｙｒ  ＝チロシン
Ｎ  ＝  Ａｓｎ  ＝アスパラギン
Ｑ  ＝  Ｇｌｎ  ＝グルタミン
Ｄ  ＝  Ａｓｐ  ＝アスパラギン酸
Ｅ  ＝  Ｇｌｕ  ＝グルタミン酸
Ｋ  ＝  Ｌｙｓ  ＝リジン
Ｒ  ＝  Ａｒｇ  ＝アルギニン
Ｈ  ＝  Ｈｉｓ  ＝ヒスチジン。
【００４７】
本明細書中に記載されるように、これらの構造座標（ｓｔｒｕｃｔｕｒｅ  ｃｏｏｒｄｉｎａｔｅ）、座標の解釈およびタンパク質構造の理解におけるこれらの有用性を得る方法は、当業者によって、そしてＣｒｙｓｔａｌ  Ｓｔｒｕｃｔｕｒｅ  Ａｎａｌｙｓｉｓ（Ｊｅｎｎｙ  Ｐｉｃｋｗｏｒｔｈ  Ｇｌｕｓｋｅｒ  ａｎｄ  Ｋｅｎｎｅｔｈ  Ｎ．Ｔｒｕｅｂｌｏｏｄ，第２版  Ｏｘｆｏｒｄ  Ｕｎｉｖｅｒｓｉｔｙ  Ｐｒｅｓｓ，１９８５，Ｎｅｗ  Ｙｏｒｋ）およびＰｒｉｎｃｉｐｌｅｓ  ｏｆ  Ｐｒｏｔｅｉｎ  Ｓｔｒｕｃｔｕｒｅ（Ｇ．Ｅ．ＳｃｈｕｌｚおよびＲ．Ｈ．Ｓｃｈｉｒｍｅｒ，Ｓｐｒｉｎｇｅｒ−Ｖｅｒｌａｇ，１９８５，Ｎｅｗ  Ｙｏｒｋ）のような標準教科書を参照することによって、理解される。
【００４８】
当業者は、結合リガンド（ｂｏｕｎｄ  ｌｉｇａｎｄ）についての構造座標のセットが、三次元における形態を規定する相対的な点のセットであることを理解する。従って、完全に異なる座標のセットは、類似の形態または同一の形態を規定し得ることが可能である。さらに、個々の座標のわずかなバリエーションは、全体的な形態にほとんど影響しない。しかしながら、目的のレセプターの結合ポケット（ｂｉｎｄｉｎｇ  ｐｏｃｋｅｔ）の点から見ると、これらのバリエーションは、それらのポケットと結合し得るリガンドの性質を有意に変化させることを予期されない。
【００４９】
これらの座標におけるバリエーションは、リガンドの結合構造座標の数学的な操作が原因で生じ得る。例えば、構造座標は、この構造座標の細分化、この構造座標のセットに対する整数の加算または減算、この構造座標の逆転または上記の任意の組み合わせによって操作され得る。
【００５０】
あるいは、アミノ酸の変異、付加、置換、および／または欠失に起因する改変、あるいは他の変更はまた、構造座標のバリエーションの原因となり得る。もしこのようなバリエーションが、本来の座標と比較して許容可能な標準誤差の範囲内であれば、結果として生じた三次元形態は、同一であるとみなされる。従って、例えば、既知の目的のレセプターの活性部位結合ポケットに結合したリガンドはまた、許容可能な誤差の範囲内に収まる形態を規定する構造座標の別の結合ポケットにも結合することが予想される。
【００５１】
種々のコンピューター分析は、潜在的リガンド（ｐｏｔｅｎｔｉａｌ  ｌｉｇａｎｄ）が、目的のレセプターに結合する既知のリガンドに充分類似しているかどうかを決定するために使用され得る。このような分析は、周知のソフトウェアアプリケーション（例えば、Ｍｏｌｅｃｕｌａｒ  Ｓｉｍｉｌａｒｉｔｙ  ａｐｐｌｉｃａｔｉｏｎ  ｏｆ  ＱＵＡＮＴＡ  （Ｍｏｌｅｃｕｌａｒ  Ｓｉｍｕｌａｔｉｏｎｓ  Ｉｎｃ．，Ｓａｎ  Ｄｉｅｇｏ，ＣＡ）バージョン４．１）において、および添付の取り扱い説明書に記載されるように、実行され得る。
【００５２】
代替の実施形態に従って、本発明は、膜結合型レセプターに結合した化合物の三次元の表示を作成するための、コンピューターを提供し、ここでこのコンピューターは、以下を備える：
ａ）機械読み取り可能なデータ記憶媒体であって、このデータ記憶媒体は、機械読み取り可能なデータでコードされるデータ記憶物質を含み、ここで、このデータは、核オーバーハウザー効果のデータまたはそこから導出されたデータを含み、このデータは、ウイルス様粒子に組込まれたレセプターおよびこのレセプターに結合される化合物を含む複合体を、ＮＭＲに供することによって得られる、データ記憶媒体：
ｂ）この機械読み取り可能なデータを処理するための命令を記憶するための、ワーキングメモリ；
ｃ）このワーキングメモリおよびこの機械読み取り可能なデータ記憶媒体に連結される、この機械読み取り可能なデータをこの三次元表示に処理するための、中央処理ユニット；および
ｄ）この三次元表示を表示するための、この中央処理ユニットに連結される、ディスプレイ。
【００５３】
上記のように、レセプター−リガンド複合体座標データのＮＭＲ分析からもたらされた座標データは、目的のレセプターの他の潜在的リガンドのスクリーニングおよび同定に有用である。例えば、このデータによってコードされた構造は、目的のレセプターと結合する能力または他の潜在的リガンドを設計する能力および／または他の潜在的リガンドを生成する能力について、コンピューターにより評価され得る。このような目的のレセプターに結合する化合物は、レセプターがそれぞれのリガンドに結合するのを防ぐことができ、潜在的な薬物候補である。さらに、またはあるいは、このデータによってコードされた構造は、コンピュータースクリーン上に図解三次元表示を示し得る。これにより、これらの化合物と構造の関連性の視覚的な検討だけでなく、構造の視覚的な検討も可能になる。
【００５４】
当業者は、いくつかの方法の１つを用い、化合物を、それらのリガンド能力についてスクリーニングし得る。このプロセスは、例えば、ＮＭＲ分析により生成された構造座標または機械読み取り可能な記憶媒体から生成された類似の形状を規定するその他の座標に基づく、コンピュータースクリーン上のリガンドの結合立体配座の肉眼による検査によって開始され得る。次いで、選択された化合物を、目的のレセプター内に、種々の配向で位置決めするか、またはドッキングし得る。ドッキングは、ＱｕａｎｔａおよびＳｙｂｙｌのようなソフトウェアを、次いで、ＣＨＡＲＭＭおよびＡＭＢＥＲのような標準的な分子力場でのエネルギー最小化および分子動力学を用いて達成され得る。
【００５５】
専門のコンピュータープログラムもまた、可能なリガンドとして化合物を選択するプロセスを支援し得る。これらのリガンドは以下を含む：
１．ＧＲＩＤ（Ｐ．Ｊ．Ｇｏｏｄｆｏｒｄ「生物学的に重要な高分子上のエネルギー的に好適な結合部位を決定するためのコンピューターによる手順」、Ｊ．Ｍｅｄ．Ｃｈｅｍ．、２８、８４９〜８５７頁（１９８５））。ＧＲＩＤは、Ｏｘｆｏｒｄ大学、Ｏｘｆｏｒｄ、ＵＫから入手可能である。
２．ＭＣＳＳ（Ａ．Ｍｉｒａｎｋｅｒら、「結合部位の機能的マップ：複数コピー同時サーチ方法」、Ｐｒｏｔｅｉｎｓ：Ｓｔｒｕｃｔｕｒｅ、Ｆｕｎｃｔｉｏｎ  ａｎｄ  Ｇｎｅｔｉｃｓ、１１、２９〜３４頁（１９９１））。ＭＣＳＳは、Ｍｏｌｅｃｕｌａｒ  Ｓｉｍｕｌａｔｉｏｎｓ、Ｓａｎ  Ｄｉｅｇｏ、ＣＡから入手可能である。
３．ＡＵＴＯＤＯＣＫ（Ｄ．Ｓ．Ｇｏｏｄｓｅｌｌら、「刺激アニーリングによる基質のタンパク質への自動化ドッキング」、Ｐｒｏｔｅｉｎｓ：Ｓｔｒｕｃｔｕｒｅ、Ｆｕｎｃｔｉｏｎ  ａｎｄ  Ｇｎｅｔｉｃｓ、８、１９５〜２０２頁（１９９０））。ＡＵＴＯＤＯＣＫは、Ｓｃｒｉｐｐｓ  Ｒｅｓｅａｒｃｈ  Ｉｎｓｔｉｔｕｔｅ、Ｌａ  Ｊｏｌｌａ、ＣＡから入手可能である。
４．ＤＯＣＫ（Ｉ．Ｄ．Ｋｕｎｔｚら、「高分子−リガンド相互作用への幾何学的アプローチ」、Ｊ．Ｍｏｌ．Ｂｉｏｌ．、１６１、２６９〜２８８頁（１９８２））。ＤＯＣＫは、Ｃａｌｉｆｏｒｎｉａ大学、Ｓａｎ  Ｆｒａｎｃｉｓｃｏ、ＣＡから入手可能である。
【００５６】
別の実施形態によれば、本発明は、膜結合レセプターと会合する化学的実体の能力を評価するための方法を提供する。本明細書で用いられる、用語「化学的実体」は、化学的化合物、少なくとも２つの化学的化合物の複合体、およびこのような化合物または複合体のフラグメントをいう。用語「〜間の会合」または「〜と会合する」は、化学的実体または化合物、あるいはこれらの部分と、タンパク質上の結合ポケットまたは結合部位との間の近接の状態をいう。この会合は、非共有結合であり得、ここで、近位が水素結合またはファンデルワールス力または静電相互作用によりエネルギー的に好まれるか、あるいはこの会合は、共有結合であり得る。次いで、上記のように生成されたＮＭＲデータを用い、コンピューター手段が、この化学的実体とレセプターとの間の適合操作を実施するために用いられ得る。
【００５７】
代替の実施形態では、一連の異なる化学的実体が分析され得る。レセプターに結合する能力を有し（上記の適合操作に基づく）、かつ互いに直接、またはリンカー部分により化学的に結合し得る２つ以上の実体が次いで選択され得る。
【００５８】
２つ以上の化学的実体が選択されると、それらは、単一の化合物または複合体に設計されるか、またはアセンブルされ得る。アセンブリは、Ｐ３８γの構造座標に関連してコンピュータースクリーン上に表示された三次元イメージ上で互いに対するフラグメントの関係の肉眼による検査によって先行され得る。これに、ＱｕａｎｔａまたはＳｙｂｙｌ［Ｔｒｉｐｏｓ  Ａｓｓｏｃｉａｔｅｓ、Ｓｔ．Ｌｏｕｉｓ、ＭＯ］のようなソフトウェアを用いる手動モデル構築が続き得る。
【００５９】
個々の化学的実体またはフラグメントを連結することで当業者を支援する有用なプログラムは以下を含む：
１．ＣＡＶＥＡＴ（Ｐ．Ａ．Ｂａｒｔｌｅｔｔら、「ＣＡＶＥＡＴ：化学的問題および生物学的問題における分子認識において、生物学的に活性な分子の構造由来設計を容易にするプログラム」、Ｓｐｅｃｉａｌ  Ｐｕｂ．、Ｒｏｙａｌ  Ｃｈｅｍ．Ｓｏｃ．、７８、１８２〜１９６頁（１９８９）；Ｇ．ＬａｕｒｉおよびＰ．Ａ．Ｂａｒｔｌｅｔｔ、「ＣＡＶＥＡＴ：有機分子の設計を容易にするプログラム」、Ｊ．Ｃｏｍｐｕｔ．Ａｉｄｅｄ  Ｍｏｌ．Ｄｅｓ．、８、５１〜６６（１９９４））。ＣＡＶＥＡＴは、Ｃａｌｉｆｏｒｎｉａ大学、Ｂｅｒｋｅｌｅｙ、ＣＡから入手可能である。
２．ＩＳＩＳ（ＭＤＬ  Ｉｎｆｏｒｍａｔｉｏｎ  Ｓｙｓｔｅｍｓ、Ｓａｎ  Ｌｅａｎｄｒｏ、ＣＡ）のような３Ｄデータベースシステム。この領域は、Ｙ．Ｃ．Ｍａｒｔｉｎ、「薬物設計における３Ｄデータベースサーチ」、Ｊ．Ｍｅｄ．Ｃｈｅｍ．、３５、２１４５〜２１５４頁（１９９２）に総説がある。
３．ＨＯＯＫ（Ｍ．Ｂ．Ｅｉｓｅｎら、「ＨＯＯＫ：高分子結合部位の化学的および立体的要求を満たす新規な分子アーキテクチャーを見出すためのプログラム」、Ｐｒｏｔｅｉｎｓ：Ｓｔｒｕｃｔ．、Ｆｕｎｃｔ．、Ｇｅｎｅｔ．、１９、１９９〜２２１頁（１９９４））。ＨＯＯＫは、Ｍｏｌｅｃｕｌａｒ  Ｓｉｍｕｌａｔｉｏｎｓ、Ｓａｎ  Ｄｉｅｇｏ、ＣＡから入手可能である。
【００６０】
１つは上記のような段階を追う様式で、目的のレセプターの可能なリガンドを構築することを継続することに代えて、可能なリガンドは、目的の非結合レセプター、または必要に応じて既知のリガンドの特定部分（単数または複数）のいずれかを用い、全体として、または「デノボ」として設計され得る。以下を含む多くのデノボのリガンド設計方法がある：
１．ＬＵＤＩ（Ｈ．−Ｊ．Ｂｏｈｍ、「コンピュータープログラムＬＵＤＩ：酵素インヒビターのデノボ設計のための新規方法」、Ｊ．Ｃｏｍｐ．Ａｉｄ．Ｍｏｌｅｃ．Ｄｅｓｉｇｎ、６、６１〜７８頁（１９９２））。ＬＵＤＩは、Ｍｏｌｅｃｕｌａｒ  Ｓｉｍｕｌａｔｉｏｎｓ  Ｉｎｃｏｒｐｏｒａｔｅｄ、Ｓａｎ  Ｄｉｅｇｏ、ＣＡから入手可能である。
２．ＬＥＧＥＮＤ（Ｙ．Ｎｉｓｈｉｂａｔａら、Ｔｅｔｒａｈｅｄｒｏｎ、４７、８９８５頁（１９９１））。ＬＥＧＥＮＤは、Ｍｏｌｅｃｕｌａｒ  Ｓｉｍｕｌａｔｉｏｎｓ  Ｉｎｃｏｒｐｏｒａｔｅｄ、Ｓａｎ  Ｄｉｅｇｏ、ＣＡから入手可能である。
３．ＬｅａｐＦｒｏｇ（Ｔｒｉｐｏｓ  Ａｓｓｏｃｉａｔｅｓ、Ｓｔ．Ｌｏｕｉｓ、ＭＯから入手可能）。
４．ＳＰＲＯＵＴ（Ｖ．Ｇｉｌｌｅｔら、「ＳＰＲＯＵＴ：構造生成のためのプログラム」、Ｊ．Ｃｏｍｐｕｔ．Ａｉｄｅｄ  Ｍｏｌ．Ｄｅｓｉｇｎ、７、１２７〜１５３頁（１９９３））。ＳＰＲＯＵＴは、Ｌｅｅｄｓ大学、ＵＫから入手可能である。
【００６１】
その他の分子モデリング技法もまた本発明に従って採用され得る［例えば、Ｃｏｈｅｎら、「薬用化学のための分子モデリングソフトウェアおよび方法」、Ｊ．Ｍｅｄ．Ｃｈｅｍ．、３３、８８３〜８９４頁（１９９０）を参照のこと；Ｍ．Ａ．ＮａｖｉａおよびＭ．Ａ．Ｍｕｒｃｋｏ、「薬物設計における構造的情報の使用」、Ｃｕｒｒｅｎｔ  Ｏｐｉｎｉｏｎｓ  ｉｎ  Ｓｔｒｕｃｔｕｒａｌ  Ｂｉｏｌｏｇｙ、２、２０２〜２１０頁（１９９２）；Ｌ．Ｍ．Ｂａｌｂｅｓら、「コンピューター支援薬物設計における現在の方法の展望」、Ｒｅｖｉｅｗｓ  ｉｎ  Ｃｏｍｐｕｔａｔｉｏｎａｌ  Ｃｈｅｍｉｓｔｒｙ、第５巻、Ｋ．Ｂ．ＬｉｐｋｏｗｉｔｚおよびＤ．Ｂ．Ｂｏｙｄ、編、ＶＣＨ、Ｎｅｗ  Ｙｏｒｋ、３３７〜３８０頁（１９９４）もまた参照のこと；Ｗ．Ｃ．Ｇｕｉｄａ、「構造を基礎にした薬物設計のためのソフトウェア」、Ｃｕｒｒ．Ｏｐｉｎ．Ｓｔｒｕｃｔ．Ｂｉｏｌｏｇｙ、４、７７７〜７８１頁（１９９４）もまた参照のこと］。
【００６２】
一旦、上記の方法により、可能なリガンドであり得る化合物が設計または選択されると、この可能なリガンドが目的のレセプターに結合し得る効率が試験され、そしてコンピューターによる評価により最適化され得る。例えば、可能なリガンドは、好ましくは、その結合した状態と遊離の状態との間でエネルギーにおける比較的小さな差異（すなわち、結合の小変形エネルギー）を示さなければならない。従って、最も有効な可能なリガンドは、好ましくは、約１０ｋｃａｌ／モルより大きくない、より好ましくは、７ｋｃａｌ／モルより大きくない結合の変形エネルギーを有して設計されるべきである。
【００６３】
化合物変形エネルギーおよび静電的相互作用を評価するための特定のコンピューターソフトウェアは当該分野で入手可能である。このような使用のために設計されたプログラムの例は以下を含む：Ｇａｕｓｓｉａｎ  ９４、再バージョンＣ（Ｍ．Ｊ．Ｆｒｉｓｃｈ、Ｇａｕｓｓｉａｎ、Ｉｎｃ．、Ｐｉｔｔｓｂｕｒｇｈ、ＰＡ、コピーライト１９９５）；ＡＭＢＥＲ、バージョン４．１（Ｐ．Ａ．Ｋｏｌｌｍａｎ、Ｃａｌｉｆｏｒｎｉａ大学Ｓａｎ  Ｆｒａｎｃｉｓｃｏ、コピーライト１９９５）；ＱＵＡＮＴＡ／ＣＨＡＲＭＭ（Ｍｏｌｅｃｕｌａｒ  Ｓｉｍｕｌａｔｉｏｎｓ、Ｉｎｃ．Ｓａｎ  Ｄｉｅｇｏ、ＣＡ、コピーライト１９９５）；Ｉｎｓｉｇｈｔ  ＩＩ／Ｄｉｃｓｃｏｖｅｒ（Ｍｏｌｅｃｕｌａｒ  Ｓｉｍｕｌａｔｉｏｎｓ、Ｉｎｃ．Ｓａｎ  Ｄｉｅｇｏ、ＣＡ、コピーライト１９９５）；Ｄｅｌｐｈｉ（Ｍｏｌｅｃｕｌａｒ  Ｓｉｍｕｌａｔｉｏｎｓ、Ｉｎｃ．Ｓａｎ  Ｄｉｅｇｏ、ＣＡ、コピーライト１９９５）；およびＡＭＳＯＬ（Ｑｕａｎｔｕｍ  Ｃｈｅｍｉｓｔｒｙ  Ｐｒｏｇｒａｍ  Ｅｘｃｈａｎｇｅ、Ｉｎｄｉａｎａ大学）。これらのプログラムは、例えば、「ＩＭＰＡＣＴ」グラフィクスを備えたＩｎｄｉｇｏ２のようなＳｉｌｉｃｏｎ  Ｇｒａｐｈｉｃｓワークステーションを用いて履行され得る。その他のハードウェアシステムおよびソフトウェアパッケージは、当業者に公知である。
【００６４】
本発明により実施される別のアプローチは、全体で、または部分的に目的のレセプターに結合し得る可能なリガンドに対する小分子データベースのコンピューターによるスクリーニングである。このスクリーニングでは、このような可能なリガンドの適合の質は、形状相補性によるか、または推定された相互作用エネルギー［Ｅ．Ｃ．Ｍｅｎｇら、Ｊ．Ｃｏｍｐ．Ｃｈｅｍ．、１３、５０５〜５２４（１９９２）］のいずれかにより判定され得る。
【００６５】
一旦、可能な化合物が同定されると、これら化合物は、レセプターに結合するそれらの能力について試験されるべきである。従って、レセプターは、レセプターへの結合を可能にし得る条件下でこの可能な化合物と接触される。結合（または結合の欠如）の決定は、当該分野で周知の多くのアッセイによって実施され得る。詳細には、本明細書中に参考として援用されるＷＯ９７／３９１３４およびＷＯ０１／０２５５１の両者は、ＶＬＰ中に取り込まれたレセプターに結合する化合物の能力を検出するためのアッセイを記載している。
【００６６】
本発明者らは、本発明の多くの実施形態を記載してきたが、基礎的な構成が改変されて、本発明の産物、プロセスおよび方法を利用するその他の実施形態を提供し得ることは明らかである。従って、本発明の範囲は、例示によって提示された詳細な実施形態によるよりはむしろ、添付の請求項によって規定されるべきであることが認識される。
【実施例】
【００６７】
（実施例１）
（予備実験）
目的のレセプターを、ＶＬＰに組込まれた場合、上記に開示されそして／または列挙される周知の技術に従って調製し、続いて相同サンプル中に単離する。次いで、レセプターサンプルを、目的のレセプターに結合することが公知であるリガンドとインキュベートする。同時に、リガンドの共鳴を帰属するために、公知のリガンドに対して実施される予備実験が、必要とされる。これらの実験は、当該分野で公知であり、周知のＮＭＲ技術を使用して実施され得る。具体的には、リガンド／レセプターサンプルに対する予備実験を記録し、リガンドプロトン共鳴を帰属する。次いで、これは、以後の工程においてｔＮＯＥの帰属を容易にする。予備実験は、代表的に、スカラー結合情報に依存する実験（例えば、ＣＯＳＹおよびＴＯＣＳＹ）を包含し、そしてこれらもまた、当業者に周知である。概説については、例えば、Ｋｉｓｓｅｌｅｖら、Ｐｒｏｃ．Ｎａｔｌ．Ａｃａｄ．Ｓｃｉ．，第９５巻、４２７０〜４２７５頁（１９９８）を参照のこと；Ｉｎｏｏｋａら、Ｎａｔｕｒｅ  Ｓｔｒｕｃｔ．Ｂｉｏｌ．，第８巻、１８１〜１６４頁（２００１）もまた参照のこと。
【００６８】
（目的のレセプターに結合するリガンドのＮＯＥＳＹ実験）
記載される方法および当該分野で周知の方法によって、リガンド／標的サンプルに対するＮＯＥＳＹを測定する。リガンドは、ＶＬＰに組込まれた場合、目的のレセプターの約１０倍モル過剰であるべきである。目的のレセプターへのリガンド結合のために、リガンドの結合立体配座に対応するｔ−ＮＯＥを観測することが予想される。例えば、ポリペプチドリガンドにおいて、これらは、遊離状態（すなわち、遊離状態は、一定の立体配座を有さない）において存在しない中距離ＮＯＥおよび長距離ＮＯＥ（中距離、長距離は、ポリペプチド鎖において連続でない残基間を意味する）を含む。ｔＮＯＥの同定は、下記の参照ＮＯＥＳＹスペクトルと比べることによって容易になる。
【００６９】
（参照ＮＯＥＳＹ実験）
上記で得られたＮＯＥＳＹデータは、遊離状態におけるリガンドからの潜在的な寄与を含む。この遊離状態の寄与を照合し、有意である場合、１部のＮＯＥＳＹスペクトルから減算する。この目的のために、２つのコントロール実験を、入手可能な情報に依存して、実施し得る。具体的には、目的のレセプターに結合するために現在使用されているリガンドより強固に結合する公知のリガンドに対して評価する場合、この少量の「より強固な結合剤」リガンドを、以前のリガンド／レセプターサンプルに添加し得る。「より強固な結合剤」リガンドが、公知の第１のリガンドと同じ結合部位で競合する場合、この第１のリガンドは、より強固な結合剤リガンドによって取って代わられる。それ故、ＮＯＥＳＹ実験は、遊離リガンドのＮＯＥのみを示し、これはまた、リガンドが、公知のリガンドの結合部位について競合することを実証する。
【００７０】
他方、公知の「より強固な結合剤」リガンドは、入手可能ではあり得ない。または、リガンドは、標的に結合するが、公知の結合剤と同じ場所には結合しない。この場合、同一の緩衝液条件下のリガンド／レセプターサンプルと、できるだけ近い同じ濃度の公知のリガンドからなる第２のＮＭＲコントロールサンプルを調製しなければならない。再び、ＮＯＥＳＹを記録し、得られたＮＯＥ交差ピークは、遊離状態の寄与のみを生じる。代表的なリード化合物（ｌｅａｄ  ｃｏｍｐｏｕｎｄ）が、かなり低分子量（Ｍｒ＜＝１０００）を有することは、留意されるべきである。このような低分子量化合物について、遊離状態のＮＯＥ交差ピークは、しばしば、結合状態より劇的により小さな大きさを有し、偶然に０にさえなり得る。このことは、ＮＯＥスペクトルの解釈を明らかに単純化する。
【００７１】
しかし、ＮＯＥＳＹスペクトル実験は、構造情報の唯一の供給源である。原則として、交換平均（ｅｘｃｈａｎｇｅ−ａｖｅｒａｇｅｄ）立体配座情報もまた生じる任意の他の実験を使用することが可能である。例としては、交差相関緩和実験、スカラー結合実験および残余双極子結合実験、異方性実験が挙げられる。現在、ＮＯＥＳＹ実験は、おそらく、設定に必要とされる仕事に比べて、ハイリターンの構造情報を有する、最も感度の良いかつ直接的な実験である。しかし、冷プローブの出現の場合、これは、将来当てはまらなくなるかもしれない。
【００７２】
（構造計算）
上記されるように、ＮＯＥＳＹへの遊離状態の寄与が減算され、公知のリガンドの結合立体配座に関する情報を純粋に含むＮＯＥＳＹスペクトルが得られる。これらのＮＯＥを、帰属し、標準的な技術を使用して定量する。例えば、交差ピーク量を、市販のソフトウェアを使用して測定し、ＮＯＥを、強、中および弱に分類する。ＮＯＥを、標準的な技術（例えば、ピーク量積分）を使用して定量し、標準的な溶液状態ＮＭＲ構造決定アルゴリズムに供する。このようなアルゴリズムの例としては、市販業者から入手可能なディスタンスジオメトリー／シミュレーティッドアニーリング結合法（ｃｏｍｂｉｎｅｄ  ｄｉｓｔａｎｃｅ  ｇｅｏｍｅｔｒｙ  ｓｉｍｕｌａｔｅｄ  ａｎｎｅａｌｉｎｇ）が挙げられる。結果は、ｔＮＯＥデータと矛盾しない立体配座の集合である。これらの結果を、上記の方法によって構造座標に変換し得る。次いで、この構造座標を、目的のレセプターに対する他の潜在的なリガンドを同定するために使用し得る。
【国際公開パンフレット】
2005508003.tif 000002
2005508003.tif 000003
2005508003.tif 000004
2005508003.tif 000005
2005508003.tif 000006
2005508003.tif 000007
2005508003.tif 000008
2005508003.tif 000009
2005508003.tif 000010
2005508003.tif 000011
2005508003.tif 000012
2005508003.tif 000013
2005508003.tif 000014
2005508003.tif 000015
2005508003.tif 000016
2005508003.tif 000017
2005508003.tif 000018
2005508003.tif 000019
2005508003.tif 000020
2005508003.tif 000021
2005508003.tif 000022
2005508003.tif 000023
2005508003.tif 000024
2005508003.tif 000025
2005508003.tif 000026
2005508003.tif 000027
2005508003.tif 000028
2005508003.tif 000029
2005508003.tif 000030
2005508003.tif 000031
2005508003.tif 000032
2005508003.tif 000033
2005508003.tif 000034
2005508003.tif 000035
2005508003.tif 000036
2005508003.tif 000037
2005508003.tif 000038
【国際公開パンフレット（コレクトバージョン）】
2005508003.tif 000039
【国際調査報告】
2005508003.tif 000040
2005508003.tif 000041
2005508003.tif 000042
2005508003.tif 000043